(57)【要約】      （修正有）【課題】抵抗棒と移動車輪を作用姿勢と非作用姿勢とに容易に切り換えることが可能な歩行型管理機を提供する。【解決手段】エンジンを有する機体と、該エンジンの駆動力で動力伝達機構を介して耕耘軸を回転させ、該耕耘軸に備えた耕耘爪３の回転により耕耘する歩行型管理機１において、前記耕耘爪３の後方に抵抗棒７を設け、該抵抗棒７の中途部に移動車輪８を取り付けると共に、抵抗棒７を耕耘姿勢と走行姿勢に変更すべく抵抗棒軸芯に対して回動自在に構成し、抵抗棒７を、該抵抗棒７を取付けるヒッチ部９と移動車輪８の取付けステー１３の間において、該抵抗棒７の中途部を耕耘作業状態で下方に折り曲げると共に、耕耘作業状態で抵抗棒７を使用した際に、抵抗棒７の上面側に移動車輪８が位置するように移動車輪８の取付けステー１３を抵抗棒７に取り付けたものである。【選択図】図１
2011205963.tif 000002
【特許請求の範囲】
【請求項１】
エンジンを有する機体と、該エンジンの駆動力で動力伝達機構を介して耕耘軸を回転させ、該耕耘軸に備えた耕耘爪の回転により耕耘する歩行型管理機において、前記耕耘爪の後方に抵抗棒を設け、該抵抗棒の中途部に移動車輪を取り付けると共に、抵抗棒を耕耘姿勢と走行姿勢に変更すべく抵抗棒軸芯に対して回動自在に構成したことを特徴とする歩行型管理機。
【請求項２】
抵抗棒を、該抵抗棒を取付けるヒッチ部と移動車輪の取付けステーの間において、該抵抗棒の中途部を耕耘作業状態で下方に折り曲げると共に、耕耘作業状態で抵抗棒を使用した際に、抵抗棒の上面側に移動車輪が位置するように移動車輪の取付けステーを抵抗棒に取り付けたことを特徴とする請求項１記載の歩行型管理機。
【発明の詳細な説明】
【技術分野】
【０００１】
本発明は、耕耘作業等を行うための歩行型管理機の特に抵抗棒に関する。
【背景技術】
【０００２】
従来、動力源の駆動力で動力伝達機構を介して耕耘軸に備えた耕耘爪を回転させることによって耕耘する歩行型管理機が公知となっている。この歩行型管理機は、ハンドル及び該ハンドルに備えた操作部の操作で操縦可能とされるとともに、該ハンドルの下方で湾曲した形状の抵抗棒の一部を土壌に挿入することにより、土壌から抵抗を得て、耕耘爪で耕耘しながら走行可能となっており、別途、耕耘作業をしない路上走行時には、抵抗棒とその反対側に常設してある移動車輪を一体的に反転させて使用することにより、耕耘作業と耕耘作業をしない路上走行時とで使い分けをしている。（例えば、特許文献１参照）
【先行技術文献】
【特許文献】
【０００３】
【特許文献１】特開２００１−２６９０１２号公報
【発明の概要】
【発明が解決しようとする課題】
【０００４】
上述した特許文献１の歩行型管理機においては、移動車輪と抵抗棒を取り外すことなく、ワンタッチで入れ替えることが可能で、しかも、移動車輪と抵抗棒とが一体となって回転できるようにしたので、作業のたびに移動車輪と抵抗棒とを交互に入れ替えるという煩雑な作業はないが、移動車輪や抵抗棒をヒッチに別々に取付け、また、構造も複雑になるという問題があった。
【０００５】
そこで本発明は、抵抗棒や移動車輪を備えたものでありながら、抵抗棒と移動車輪との相互切り換えを簡単な構成により行うことで、操作性を向上させることが可能な歩行型管理機を提供することを目的とする。
【課題を解決するための手段】
【０００６】
本発明は、上記の如き実情に鑑みこれらの課題を解決することを目的として創作されたものであって、エンジンを有する機体と、該エンジンの駆動力で動力伝達機構を介して耕耘軸を回転させ、該耕耘軸に備えた耕耘爪の回転により耕耘する歩行型管理機において、前記耕耘爪の後方に抵抗棒を設け、該抵抗棒の中途部に移動車輪を取り付けると共に、抵抗棒を耕耘姿勢と走行姿勢に変更すべく抵抗棒軸芯に対して回動自在に構成したことを第一の特徴とする。
【０００７】
また、抵抗棒を、該抵抗棒を取付けるヒッチ部と移動車輪の取付けステーの間において、該抵抗棒の中途部を耕耘作業状態で下方に折り曲げると共に、耕耘作業状態で抵抗棒を使用した際に、抵抗棒の上面側に移動車輪が位置するように移動車輪の取付けステーを抵抗棒に取り付けたことを第二の特徴とする。
【発明の効果】
【０００８】
請求項１に係る本発明によると、エンジンを有する機体と、該エンジンの駆動力で動力伝達機構を介して耕耘軸を回転させ、該耕耘軸に備えた耕耘爪の回転により耕耘する歩行型管理機において、前記耕耘爪の後方に抵抗棒を設け、該抵抗棒の中途部に移動車輪を取り付けると共に、抵抗棒を耕耘姿勢と走行姿勢に変更すべく抵抗棒軸芯に対して回動自在に構成したので、抵抗棒と移動車輪の切換えが移動車輪部分を把持することで容易に行うことが出来作業性を向上させることができる。
【０００９】
また、請求項２に係る発明によると、抵抗棒を、該抵抗棒を取付けるヒッチ部と移動車輪の取付けステーの間において、該抵抗棒の中途部を耕耘作業状態で下方に折り曲げると共に、耕耘作業状態で抵抗棒を使用した際に、抵抗棒の上面側に移動車輪が位置するように移動車輪の取付けステーを抵抗棒に取り付けたので、耕耘作業をする際に、抵抗棒の地面に対する食い込みやすくなり抵抗棒の性能を更に向上することが可能となった。
また、耕耘作業をしない路上走行時においては、耕耘爪の回転軌跡からある一定の距離をおいて移動車輪を配置することが可能となって安定した路上走行を行うことが出来る。
【図面の簡単な説明】
【００１０】
【図１】本発明の第一実施例の形態に係る歩行型管理機の耕耘状態を示す側面図である。
【図２】本発明の耕耘状態の抵抗棒姿勢を示す要部拡大図である。
【図３】本発明の路上走行状態の移動車輪姿勢を示す要部拡大図である。
【図４】本発明の歩行型管理機に取付けられた抵抗棒の断面図である。
【図５】本発明の抵抗棒の分解斜視図である。
【図６】本発明の歩行型管理機の路上走行状態を示す側面図である。
【図７】本発明の第二実施例の耕耘状態の抵抗棒姿勢を示す要部拡大図である。
【図８】図７の路上走行状態の移動車輪姿勢を示す要部拡大図である。
【図９】図７の歩行型管理機に取付けられた抵抗棒の断面図である。
【図１０】図７の抵抗棒の分解斜視図である。
【発明を実施するための形態】
【００１１】
以下、本発明に係る実施の形態を図１乃至図１０に沿って説明する。
【００１２】
図１は、本発明が適用された歩行型管理機の側面図を示しており、管理機１は機体フレーム２の上部に燃料タンクとエンジンが搭載され、このエンジンの下部にミッションケースＭが連接されていて、エンジンの出力軸からミッションケースＭの入力軸に動力を伝動するベルト及びプーリは、ベルトカバーにより覆われている。前記ミッションケースＭの出力軸には、耕耘爪３が取付けられていて、エンジンの動力で回転駆動されている。
【００１３】
前記機体フレーム２には、機体１からその後部上方に向けて延設されたハンドルフレーム４に、ハンドル調節部５を介して左右ハンドル６が後方に向けて延設されている。
【００１４】
図２、図３は、本発明の要部である抵抗棒７と移動車輪８の位置関係を示す要部拡大図であって、図２は、耕耘状態での抵抗棒７の姿勢を示しており、図３は、路上走行状態での移動車輪８の姿勢を示している。
抵抗棒７の形状は、図１、図４に示すように断面が円筒状で側面視でヒッチ部９と移動尾輪８の取付けステー１３間において、耕耘状態において、耕耘爪３の方向へ折れ曲げＫられて構成されている。
そして、機体１の後部に設けたヒッチ部９に下端が開放された中空状の筒体１０が構成され、該筒体１０内には弾性体のコイルスプリング１１が挿入される孔１０ａが設けられている。該コイルスプリングは抵抗棒７の付け根７ａを孔１０ａを挿入する方向に付勢している。
【００１５】
また、上記リブ７ｂよりも抵抗棒７の先端側には本発明の要部となる抵抗棒７の姿勢を１８０°反転した位置で保持すべく抵抗棒７の外周にピン７ｃがそれぞれ抵抗棒７に対して２箇所設けられている。即ち、コイルスプリングは抵抗棒７の付け根７ａを孔１０ａを挿入する方向に付勢しているのと同時に、上述したピン７ｃのそれぞれが中空状の筒体１０の一端の切り欠いた溝１０ｃに常時は嵌入されており、その外周をキャップ１２で覆うように構成されている。
そして、抵抗棒７のヒッチ部９と移動車輪８の取り付けステー１３の間には、抵抗棒を耕耘作業状態において耕耘爪３の方向へ折り曲げＫられている。また、移動車輪８は耕耘作業状態において、抵抗棒の上方に位置する方向に取り付けステー１３を取り付けている。
以上のような構成により、耕耘作業をしない路上走行時に移動車輪８を地面に設置して使用するように構成している。
【００１６】
次に、抵抗棒７と移動車輪１３の使い方について説明する。
通常耕耘作業をしている時には、図１に示すように抵抗棒７側が途中から耕耘爪３の方向に折り曲げＫられているために、しっかりと地面に食い込みやすい状態になっているが、耕耘作業をしない路上走行時には、図６に示すように移動車輪１３側を地面に向けた状態にする必要がある。その際には、抵抗棒７を下方に弾性体であるコイルスプリング１１に抗して引っ張り、抵抗棒７の外周に設けられたピン７ｃを溝１０ｃから一旦外し、抵抗棒７を抵抗棒軸芯７Ｇに対して１８０°回すことで、今度は、該ピン７ｃが、今まで入っていた溝１０ｃとはそれぞれ逆の溝１０ｃに入ることで、抵抗棒７の先端の向きが地面からは離れた姿勢になり、移動車輪１３側が地面を向いた姿勢で固定される。
これにより抵抗棒７と移動車輪８の使用状態の切り換えを容易に行うことが可能となっている。
【００１７】
また、図７乃至図１０に示したものは、本発明の第二実施例を示したものであり、以下に構成を説明する。なお、図１乃至図６で説明した本発明の第一実施例と相違する箇所のみの説明とする。
抵抗棒７の形状は前述したものと同じであり、抵抗棒７を支持する中空状の筒体１０には、先端部分に螺子部１０ｄが設けられ、該螺子部１０ｄには抵抗棒７の中途部に設けた円形状のキャップＣの内面に形成された螺子ＣＧが嵌まるように構成され、抵抗棒７の中途部には前述したものと同様にピン７ｃが外周に二箇所設けられ、該ピン７ｃは、中空状の筒体１０の先端部分に切られた溝１０ｃに嵌まり、円形状のキャップＣの内面に設けられた螺子ＣＧで、該キャップＣを該筒体１０の抵抗棒７の中途部には、前述した本発明の第一実施例と同様に移動車輪８がステー１３を介して取り付けられている。
【００１８】
次に、抵抗棒７と移動車輪８の使い方について説明する。
通常耕耘作業をしている時には、抵抗棒側７が地面を向いた状態になっているが、耕耘作業をしない路上走行時には、移動車輪８側を地面に向けた状態にする必要がある。その際には、抵抗棒７の中途部に設けられた内面に螺子７ｄが形成された円形状のキャップＣを回して螺子止めを解除して、抵抗棒７の外周のピン７ｃを中空状の筒体１０の溝１０ｃから外す。
そして、抵抗棒７を反転（１８０°）させた状態で、前述した抵抗棒７の外周のピン７ｃを中空状の筒体１０の先端部分に切られた溝１０ｃに嵌め、その状態で円形状のキャップＣをねじ込むことによって、抵抗棒７の先端を非作業位置として、移動車輪８側を地面に向けた状態にすることができる。
【００１９】
上述したように、抵抗棒７と移動車輪８とを適宜使い分け、それぞれの位置に応じて適宜固定することが出来る。
【符号の説明】
【００２０】
１        歩行型管理機
３        耕耘爪
７        抵抗棒
７Ｇ      抵抗棒軸芯
８        移動車輪
１３      移動車輪の取り付けステー
【図１】
2011205963.tif 000003
【図２】
2011205963.tif 000004
【図３】
2011205963.tif 000005
【図４】
2011205963.tif 000006
【図５】
2011205963.tif 000007
【図６】
2011205963.tif 000008
【図７】
2011205963.tif 000009
【図８】
2011205963.tif 000010
【図９】
2011205963.tif 000011
【図１０】
2011205963.tif 000012